(57)【要約】【課題】  コイルの占積率を高めつつ、ヨーク部に対するティース部の移動を抑制することができるモータを提供する。【解決手段】ブラシレスモータ１のステータ７は、５個のヨークセグメント２１、２２からなるヨーク部２０と、５個のティースセグメント４２、４３からなるティース部４０とを有する。ヨークセグメント２１、２２には、圧入溝２３及び圧入溝２３の一端部を閉鎖するための閉鎖壁２４が形成されている。ティースセグメント４２、４３は、圧入溝２３に圧入される圧入突部４５を有するティース４１とティース４１を連結する連結部４４とを備えている。ケース部１２には、圧入溝２３の他端部を閉鎖する閉鎖リブ１２ａが形成されている。圧入溝２３に圧入されたティース４１は、閉鎖壁２４及び閉鎖リブ１２ａにより移動が規制される。【選択図】図３
2008067529.tif 000002
【特許請求の範囲】
【請求項１】
複数のティースを含むティース部及びヨーク部を有するステータと、ケースとを備えたモータにおいて、
前記ティース部と前記ヨーク部は、それぞれが独立した構成体からなり、それらが互いに連結され、
前記複数のティースのうち少なくとも一部の前記ティースは隣接する前記ティースと連結部により連結されて一体的に形成され、
前記ヨーク部には、前記ティース部が挿入されて連結される挿入溝及び前記挿入溝の一端部を閉鎖するための閉鎖壁が形成され、
前記ケースは、前記挿入溝の他端部を閉鎖する閉鎖部を有することを特徴とするモータ。
【請求項２】
前記ヨーク部は、前記閉鎖壁を構成する閉鎖壁部位が形成された第１ヨーク板と、前記挿入溝を構成する挿入溝部位が形成された第２ヨーク板とが積層されていることを特徴とする請求項１に記載のモータ。
【請求項３】
前記閉鎖壁は、前記第１ヨーク板が複数積層されて形成されていることを特徴とする請求項２に記載のモータ。
【請求項４】
前記ティースは、少なくとも前記閉鎖壁側の端部が前記連結部により隣接する前記ティースと連結されていることを特徴とする請求項１〜３のいずれか１項に記載のモータ。
【請求項５】
前記閉鎖壁側の前記ティースの端面が、前記閉鎖壁の外側の端面と同一面になるように形成されていることを特徴とする請求項１〜４のいずれか１項に記載のモータ。
【請求項６】
前記ケースの閉鎖部は、前記ケースから内側に突出するように一体的に形成されていることを特徴とする請求項１〜５のいずれか１項に記載のモータ。
【請求項７】
前記ティース部は、前記複数のティースを含む複数のティースセグメントを有し、
前記各ティースセグメントに対し、前記ケースの閉鎖部は少なくとも１つ設けられていることを特徴とする請求項１〜６のいずれか１項に記載のモータ。
【発明の詳細な説明】
【技術分野】
【０００１】
本発明は、ヨーク部とティース部とを有するステータを備えたモータに関する。
【背景技術】
【０００２】
従来、ヨーク部とティース部が一部品で一体的に形成されたステータを備えたモータが知られている。一般に、このようなモータにおいては、ティース部は、回転方向に所定間隔で設けられた複数のティースを有し、各ティースは銅線等の金属線からなるコイルに挿通されている。ここで上述のモータのコイルは、ティース部のティースに、巻線機などの自動機によって金属線を巻線することにより作製される。しかしながら、このようにコイルを作製した場合、ティースに金属線を巻線する際に、隣接するティースの間に金属線を保持するための巻線ノズルを挿入する必要がある。このため、隣接するティースの間には、巻線ノズルを挿入するための空間を残さなくてはならず、当該空間にコイルを設けることはできないため、コイルの占積率を大きくすることができないといった問題があった。
【０００３】
そこで、特許文献１には、ヨーク部と複数のティースを有するティース部とが独立した構成体により構成されたステータを備えたモータが開示されている。このモータの製造工程では、挿入溝が形成されたヨーク板を積層してヨーク部を形成するとともに、ティース部の各ティースを既に巻線されたコイルに挿通する。その後、ヨーク部の挿入溝にティース部を挿入してステータを製造している。
【０００４】
このように既に巻線された状態のコイルにティース部のティースを挿通させることにより、上述のコイルを巻線するための巻線ノズルを挿入するための空間を隣接するティース間に残す必要がなくなるので、コイルを設けることができる空間を増加させることができた。この結果、コイルの占積率を向上させることができた。
【特許文献１】特開平１１−２５２８４２号公報
【発明の開示】
【発明が解決しようとする課題】
【０００５】
しかしながら、上述の特許文献１のモータでは、全てに挿入溝が形成されたヨーク板が積層されてヨーク部が形成されているので、ロータの回転軸方向の全領域にわたって挿入溝がヨーク部に形成されている。従って、モータの振動などにより、ヨーク部の挿入溝に挿入されたティース部が挿入溝に対して移動して、挿入溝のいずれか一方の端部からティース部が突出又は離脱するおそれがあった。
【０００６】
本発明は、上述した課題を解決するために創案されたものであり、コイルの占積率を高めつつ、ヨーク部に対するティース部の移動を抑制することができるモータを提供することを目的としている。
【課題を解決するための手段】
【０００７】
上記目的を達成するために請求項１に記載の発明は、複数のティースを含むティース部及びヨーク部を有するステータと、ケースとを備えたモータにおいて、前記ティース部と前記ヨーク部は、それぞれが独立した構成体からなり、それらが互いに連結され、前記複数のティースのうち少なくとも一部の前記ティースは隣接する前記ティースと連結部により連結されて一体的に形成され、前記ヨーク部には、前記ティース部が挿入されて連結される挿入溝及び前記挿入溝の一端部を閉鎖するための閉鎖壁が形成され、前記ケースは、前記挿入溝の他端部を閉鎖する閉鎖部を有することを特徴とするモータである。尚、閉鎖部は、ケースの内面に形成された突状の構成のみならず、ケースの平坦な内面の一部により構成されているものを含むものである。
【０００８】
また、請求項２に記載の発明は、前記ヨーク部は、前記閉鎖壁を構成する閉鎖壁部位が形成された第１ヨーク板と、前記挿入溝を構成する挿入溝部位が形成された第２ヨーク板とが積層されていることを特徴とする請求項１に記載のモータである。
【０００９】
また、請求項３に記載の発明は、前記閉鎖壁は、前記第１ヨーク板が複数積層されて形成されていることを特徴とする請求項２に記載のモータである。
【００１０】
また、請求項４に記載の発明は、前記ティースは、少なくとも前記閉鎖壁側の端部が前記連結部により隣接する前記ティースと連結されていることを特徴とする請求項１〜３のいずれか１項に記載のモータである。
【００１１】
また、請求項５に記載の発明は、前記閉鎖壁側の前記ティースの端面が、前記閉鎖壁の外側の端面と同一面になるように形成されていることを特徴とする請求項１〜４のいずれか１項に記載のモータである。
【００１２】
また、請求項６に記載の発明は、前記ケースの閉鎖部は、前記ケースから内側に突出するように一体的に形成されていることを特徴とする請求項１〜５のいずれか１項に記載のモータである。
【００１３】
また、請求項７に記載の発明は、前記ティース部は、前記複数のティースを含む複数のティースセグメントを有し、前記各ティースセグメントに対し、前記ケースの閉鎖部は少なくとも１つ設けられていることを特徴とする請求項１〜６のいずれか１項に記載のモータである。
【発明の効果】
【００１４】
本発明の請求項１の構成によると、ティース部とヨーク部とを独立した構成体により構成することにより、ティース部のティースを巻線されたコイルに挿通させることができるので、コイルの占積率を向上させることができる。また、ティース部が挿入されるヨーク部の挿入溝は一端部を閉鎖壁により閉鎖され他端部をケースの閉鎖部により閉鎖されている。これによりモータの振動等に起因するティース部の移動を抑制することができるので、ティース部が挿入溝から突出又は離脱することを防止できる。
【００１５】
本発明の請求項２の構成によると、ヨーク部が第１ヨーク板と第２ヨーク板とが積層された構造を有するので、渦電流を抑制することができる。これにより、ヨーク部での電気エネルギーの損失を抑制することができる。
【００１６】
本発明の請求項３の構成によると、閉鎖壁は複数の第１ヨーク板が積層された構成を有するので、渦電流を抑制するためにヨーク部を薄い板材料により構成した場合でも、閉鎖壁の強度を高めることができる。
【００１７】
本発明の請求項４の構成によると、閉鎖壁側のティースの端部、即ち、ティースが最初に挿入溝に挿入される側の端部が連結部により隣接するティースと連結されているので、ティースを挿入溝に挿入する際に、ティースがヨーク部と当接してもティース部の変形を抑制することができる。
【００１８】
本発明の請求項５の構成によると、ティースを厚くすることができるので、モータの特性を向上させることができる。
【００１９】
本発明の請求項６の構成によると、ケースの内面のうち、ティースを当接する部分のみを突出させてティース部を当接することにより、ケースの内面の全体でティース部を当接する場合に比べて、よりよく当接することができる。
【００２０】
本発明の請求項７の構成によると、各ティースセグメントに対して閉鎖部を少なくとも１つ設けることにより、各ティースセグメントの移動を抑制しつつ、閉鎖部の数を少なくすることができるので、ケースを構成する材料をより削減することができる。
【発明を実施するための最良の形態】
【００２１】
以下、本発明の実施の形態を、図面を参照して説明する。尚、本実施形態は、電動バイクのタイヤに装着される三相式のインナーロータ型のブラシレスモータに本発明を適用したものである。
【００２２】
図１は、本実施形態によるブラシレスモータの全体斜視図である。図２は、図１におけるＡ−Ａ線に沿った断面図である。図３は、ケースに装着されたステータの斜視図である。図４は、ステータの斜視図である。図５は、ステータコイルが装着されたステータの１セグメントの斜視図である。図６及び図７は、ステータの１セグメントの斜視図である。図８は、ヨークセグメントの斜視図である。
【００２３】
図９及び図１０は、ヨーク板の平面図である。図１１は、ティースセグメントの斜視図である。図１２及び図１３は、ティース板の平面図である。図１４は、図３におけるＢ−Ｂ線に沿った断面図である。図１５は、図３におけるＣ−Ｃ線に沿った断面図である。尚、便宜上、図３、図４、図６、図７では、ステータコイルを省略している。
【００２４】
図１及び図２に示すように、ブラシレスモータ１は、ケース２と、ロータ３と、シャフト４と、ステータコイル５と、バスリング６と、ステータ７とを備えている。
【００２５】
ケース２は、互いにボルト（図示略）で固定されたアルミニウム製のケース部１１及びケース部１２からなる。図１に示すように、ケース部１２の外周面には、入出力端子１３が設けられている。尚、図２において、入出力端子１３は便宜上省略している。
【００２６】
図３及び図１４に示すように、ケース部１２の内底面（内側面）１２ｄには、後述するステータ７のヨークセグメント２１、２２の圧入溝２３の一端を閉鎖してティースセグメント４２、４３を押圧可能な１０個の閉鎖リブ（請求項記載の閉鎖部に相当）１２ａが一体的に突出するように且つ外周縁部から中心側へ延びるように形成されている。また、図３及び図１５に示すように、ケース部１２の内底面１２ｄの外周縁部には、ステータ７を固定するための固定ネジ６０が螺合されるネジ孔１２ｂが設けられた取付部１２ｃが９個所に形成されている。
【００２７】
図２に示すように、ロータ３の外周部には、複数の磁石３ａが設けられている。ロータ３の内周部には、タイヤが装着されるシャフト４が圧入されている。シャフト４は、タイヤが装着されるシャフト部４ａと、ロータ３が装着されるシャフト部４ｂとを有する。シャフト４ａ、４ｂは、減速用の遊星ギヤ１４によって連結されている。
【００２８】
図２及び図５に示すように、ステータコイル５は、ティース４１が挿通された管状のインシュレータ１５に銅線１６が巻線された構成を有する。バスリング６は、ステータコイル５の三相及び中性点に対応した４枚の黄銅板を有し、各ステータコイル５を結線する。
【００２９】
次に、本実施形態の特徴部分であるステータ７について説明する。図３に示すように、ステータ７はケース２のケース部１２の内側に固定されている。図３〜図７に示すように、ステータ７は、独立した構成体であるヨーク部２０のヨークセグメント２１、２２とティース部４０のティースセグメント４２、４３とが互いに連結され、更に、隣接するヨークセグメント２１、２２同士が連結された構成を有する。ここで、図４から明らかなように、ヨークセグメント２１、２２とティースセグメント４２、４３は、同数であり且つ一対一の関係になっており、ティースセグメント４２、４３が、隣接するヨークセグメント２１、２２間に跨ることがないように連結されている。
【００３０】
図３及び図４に示すように、ヨーク部２０は、略円弧状の４個のヨークセグメント２１と１個のヨークセグメント２２とが遊嵌により連結されて略円筒形状に形成されている。以下、ヨークセグメント２１に関しては詳細に説明し、ロータ３の回転方向（以下、回転方向という）の長さが異なる以外は略同じ構成のヨークセグメント２２に関しては簡単に説明する。
【００３１】
図８に示すように、ヨークセグメント２１の内周側には、ロータ３の回転軸方向（以下、回転軸方向という）に延びる４本の圧入溝（請求項記載の挿入溝に相当）２３が形成されるとともに、各圧入溝２３の一端部には圧入溝２３の一端を閉鎖してティースセグメント４２を押圧可能な閉鎖壁２４が形成されている。圧入溝２３は、平面視にて、ティースセグメント４２の内側への離脱を防止するために、内周側の辺が外周側の辺よりも短い台形状に形成されている。
【００３２】
ヨークセグメント２１の回転方向Ｒの一端部には嵌合溝２５が形成され、他端部には隣接するヨークセグメント２１、２２の嵌合溝２５に遊嵌可能な嵌合突部２６が形成されている。尚、嵌合溝２５と嵌合突部２６は、遊嵌部分において嵌合溝２５と嵌合突部２６の間に、例えば、約０．０３ｍｍのギャップが形成された状態で遊嵌されている。そして、ヨークセグメント２１、２２の嵌合溝２５に隣接するヨークセグメント２１、２２の嵌合突部２６を嵌合させることにより各ヨークセグメント２１、２２が遊嵌により連結されてヨーク部２０が形成される。
【００３３】
ヨークセグメント２１の外周部には、ケース部１２の外周部１２ｅの内面に当接させてステータ７を位置決めするための２個のガイド部２７が形成されている。また、ガイド部２７には、ステータ７を固定するための固定ネジ６０が通される部分円弧状の凹部２８が形成されている。尚、ケース部１２には、凹部２８に対応した位置に、凹部２８と組み合わせることで円形状になる部分円弧状の凹部（図示略）が形成されている。
【００３４】
各ヨークセグメント２１は、図９及び図１０に示す、約０．５ｍｍの鉄板からなる２種類のヨーク板（請求項記載の第１ヨーク板に相当）２９、ヨーク板（請求項記載の第２ヨーク板に相当）３０が積層された構成を有する。ヨーク板２９、３０には、共に、嵌合溝２５、嵌合突部２６、ガイド部２７、凹部２８を構成する嵌合溝部位２５ａ、嵌合突部部位２６ａ、ガイド部部位２７ａ、凹部部位２８ａが形成されている。更に、ヨーク板２９には閉鎖壁２４を構成する閉鎖壁部位２４ａが形成され、ヨーク板３０には圧入溝２３を構成する圧入溝部位２３ａが形成されている。各ヨークセグメント２１では、２枚のヨーク板２９が積層され、その上に５０枚のヨーク板３０が積層された状態でかしめられて各ヨーク板２９、３０が固定されている。即ち、各閉鎖壁２４は、２枚のヨーク板２９の閉鎖壁部位２４ａにより構成されている。
【００３５】
次に、ヨークセグメント２２について図７を参照して簡単に説明する。ヨークセグメント２２は、圧入溝２３及び閉鎖壁２４が２つずつ設けられ、それに伴って、ヨークセグメント２１より回転方向Ｒの長さが短くなるように構成されている。また、ヨークセグメント２２も閉鎖壁部位２４ａが形成されたヨーク板及び圧入溝部位２３ａが形成されたヨーク板（図示略）が積層された構造を有する。
【００３６】
図３及び図４に示すように、ティース部４０は、１８個のティース４１を有し、４個のティースセグメント４２と、１個のティースセグメント４３とを備えている。以下、ティースセグメント４２については詳細に説明し、回転方向Ｒの長さが異なる以外は略同じ構成のティースセグメント４３については簡単に説明する。
【００３７】
図１１に示すように、ティースセグメント４２は、４個のティース４１と、連結部４４とを有する。各ティース４１は、圧入突部４５と、ステータコイル５に挿通される四角柱状のコイル支持部４６と、ステータコイル５よりも内側に設けられた先端部４７とからなる。圧入突部４５は、ヨーク部２０の圧入溝２３に隙間なく圧入可能な形状に形成されている。圧入突部４５の回転方向Ｒの幅は、ステータコイル５に挿通される際に、圧入突部４５が障害にならないようにコイル支持部４６の回転方向Ｒの幅よりも小さくなるように形成されている。
【００３８】
先端部４７は、コイル支持部４６と回転軸方向の厚みが同じで且つコイル支持部４６よりも回転方向Ｒの幅が広い平面板状に形成されている。各ティースセグメント４２内において、ティース４１の先端部４７の回転方向Ｒの端部のうち回転軸方向の一部は、隣接するティース４１の先端部４７の対応する一部と連結部４４により連結されて一体的に形成されている。また、図３及び図４に示すように、隣接するティースセグメント４２のティース４１の先端部４７間にはギャップ４８が形成されている。先端部４７の内周面は、回転方向Ｒの径方向を法線ベクトルとする平面形状に形成されている。これにより、先端部４７の内周面において、回転時に磁力線の変化の大きい回転方向Ｒの両端部とロータ３との距離が、磁力線の変化の小さい回転方向Ｒの中心部とロータ３との距離よりも長くなる。
【００３９】
図１１に示すように、連結部４４は、隣接するティース４１の先端部４７の間に３個ずつ設けられている。各ティース４１間の３個の連結部４４は、回転軸方向において連結部４４間にステータ７の径方向に貫通された空間ができるように、先端部４７の回転軸方向の両端部と中央部とに所定間隔を空けて形成されている。
【００４０】
ティースセグメント４２は、図１２及び図１３に示す、約０．５ｍｍの鉄板からなる２種類のティース板４９、ティース板５０が積層された構成を有する。ティース板４９には、ティース４１と連結部４４を構成する４個のティース部位４１ａ及びそれらを連結する３個の連結部部位４４ａが形成されている。一方、ティース板５０は、ティース４１を構成するティース部位４１ａのみからなる。各ティースセグメント４２では、２枚のティース板４９、２３枚のティース板５０、２枚のティース板４９、２３枚のティース板５０、２枚のティース板４９が積層方向に順次積層された状態でかしめられて、各ティース板４９、５０が固定されている。即ち、各連結部４４は、２枚のティース板４９の連結部部位４４ａによって構成されている。尚、積層方向の各層において、ティース板５０は、４個所のティース４１に対応した位置に１枚ずつ合計４枚が配置され、これら４枚が配置された層を１層として、積層方向に２３層ずつ積層されている。
【００４１】
次に、ティースセグメント４３について図７を参照して簡単に説明する。ティースセグメント４３は、ティース４１を２個だけ有し、それに伴って、回転方向Ｒの長さが短くなるように形成されている。また、ティースセグメント４３もティース部位４１ａ及び連結部部位４４ａが形成されたティース板とティース部位４１ａのみからなるティース板（図示略）とが積層された構造を有する。
【００４２】
次に、ステータ７がケース２のケース部１２に装着された状態について、図３、図１４及び図１５を参照して説明する。
【００４３】
図１４に示すように、ケース部１２に閉鎖リブ１２ａが形成されている部分では、固定ネジ６０（図１５参照）により固定された状態において、ヨーク部２０の圧入溝２３の一端部に形成された閉鎖壁２４によってティース４１の一端面が押圧されるとともに、圧入溝２３の他端部側に設けられたケース部１２の閉鎖リブ１２ａによってティース４１の他端面が押圧される。これにより、ヨーク部２０に対するティース部４０の離脱を防止できる。
【００４４】
尚、図３に示すように、１８個のティース４１に対して閉鎖リブ１２ａは１０個しか形成されていないが、各ティースセグメント４２、４３が２つの閉鎖リブ１２ａにより押圧されるように閉鎖リブ１２ａが配置されているので、１０個の閉鎖リブ１２ａでも全てのティースセグメント４２、４３の離脱を防止できる。
【００４５】
また、図３に示すように、ヨーク部２０にガイド部２７が形成されている部分では、ガイド部２７の外周面がケース部１２の外周部１２ｅの内面に当接して、ヨーク部２０が位置決めされている。また、図１５に示すように、ガイド部２７の凹部２８に挿通された固定ネジ６０が、ケース部１２に形成されたネジ孔１２ｂに螺合されている。これにより、ヨーク部２０がティース部４０とともにケース部１２に固定される。
【００４６】
次に、ステータの組み立て及び取り付け工程を中心にブラシレスモータの製造工程について簡単に説明する。
【００４７】
まず、図９に示すヨークセグメント２１を構成するヨーク板２９を厚さ約０．５ｍｍの鉄板を金型により打ち抜いて作製する。次に、ヨーク板２９の閉鎖壁部位２４ａに対応する領域を打ち抜いて、図１０に示す圧入溝部位２３ａが形成されたヨーク板３０を作製する。そして、ヨーク板２９、３０を積層した状態でかしめて、図８に示すヨークセグメント２１を作製する。同様に、ヨークセグメント２２も作製する。
【００４８】
次に、図１２及び図１３に示すティースセグメント４２を構成するティース板４９、５０を厚さ約０．５ｍｍの鉄板を金型により打ち抜いて作製する。そして、これらのティース板４９、５０を積層した状態でかしめて、図１１に示すティースセグメント４２を作製する。同様に、ティースセグメント４３も作製する。
【００４９】
次に、図５に示すように、ティース４１のコイル支持部４６を、既にインシュレータ１５に銅線１６が巻線されたステータコイル５に挿通させた後、ティースセグメント４２（４３）のティース４１の圧入突部４５を、閉鎖壁２４が形成されていない開放端側からヨークセグメント２１（２２）の圧入溝２３に圧入して、ティースセグメント４２（４３）とヨークセグメント２１（２２）とを連結する。次に、閉鎖壁２４が形成されていない開放端側をケース部１２の内底面１２ｄに対向させ、ヨークセグメント２１（２２）のガイド部２７をケース部１２の外周部１２ｅの内面に当接させ且つケース部１２のネジ孔１２ｂがガイド部２７の凹部２８と一致するようにヨークセグメント２１（２２）を位置決めした状態で、ティースセグメント４２（４３）とともにヨークセグメント２１（２２）を配置する。
【００５０】
その後、他のティースセグメント４２、４３及びヨークセグメント２１、２２も圧入して連結した状態で所定の位置に順次配置し、隣接するヨークセグメント２１、２２同士を嵌合溝２５と嵌合突部２６により遊嵌して連結する。次に、全てのヨークセグメント２１、２２及びティースセグメント４２、４３をケース部１２の内部に配置して連結した後、ヨークセグメント２１、２２の凹部２８に挿通された固定ネジ６０をネジ孔１２ｂに螺合させてステータ７をケース部１２に固定する。
【００５１】
その後、ロータ３、シャフト４等の他の部品をケース２に取り付けてブラシレスモータ１が完成する。
【００５２】
上述したように、本実施形態によるブラシレスモータ１では、ヨーク部２０とティース部４０とを独立した構成体により構成することにより、既に巻線されたステータコイル５にティース部４０のティース４１を挿通させることができるので、ステータコイル５の占積率を向上させることができる。
【００５３】
また、ティース部４０の圧入突部４５が圧入されるヨーク部２０の圧入溝２３は、一端部を閉鎖壁２４により閉鎖され他端部をケース部１２の閉鎖リブ１２ａにより閉鎖されているので、固定ネジ６０で固定された状態では、閉鎖壁２４及び閉鎖リブ１２ａのいずれか一方又は両方によりティース４１を押圧することができる。これによりモータの振動などに起因するティース部４０の移動を規制することができるので、ティース部４０が圧入溝２３から突出又は離脱することを防止できる。
【００５４】
また、ヨーク部２０は、ヨーク板２９、３０が積層された構造を有するので、渦電流を抑制することができる。これにより、ヨーク部２０での電気エネルギーの損失を抑制することができる。また、渦電流を抑制するために薄い鉄板によってヨーク板２９を作製しても、閉鎖壁２４はヨーク板２９が２枚積層されて形成されているので、閉鎖壁２４の強度を確保することができる。
【００５５】
更に、２種類のヨーク板２９、３０によりヨーク部２０を形成しているが、鉄板を金型により打ち抜いてヨーク板２９を作製した後、閉鎖壁２４に該当する領域を更に打ち抜いて圧入溝２３を形成することによりヨーク板３０を作製することができるので、ヨーク板２９、３０を容易に作製することができる。
【００５６】
また、ケース部１２の内面全体に閉鎖リブを形成するのではなく、ティース４１に対応させて内底面１２ｄの一部のみを突出させて閉鎖リブ１２ａを形成しているので、ティース４１をよりよく押圧することができる。更に、閉鎖リブ１２ａを全てのティース４１に対応させて設けるのではなく、各ティースセグメント４２、４３を２個の閉鎖リブ１２ａにより押圧するように閉鎖リブ１２ａを配置することにより、ティース部４０の移動を抑制しつつ、閉鎖リブ１２ａの数を減らすことができるので、よりケース部１２を構成する材料を削減することができる。この結果、ケース２の材料コストを削減することができるとともに、ケース２の軽量化を実現できる。
【００５７】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００５８】
上述した実施形態では、電動バイクのインナーロータ型の三相式のブラシレスモータに本発明を適用した例を示したが、他の電動自転車、家電製品等に使用される別の形式のモータに適用することも可能である。
【００５９】
また、ヨークセグメント２１、２２及びティースセグメント４２、４３の数は適宜変更可能である。
【００６０】
また、ティースセグメント４１、４２に形成される連結部４４の数及び位置などは適宜変更可能である。但し、図１６に示すティースセグメント４２Ａのように、ヨークセグメント２１の閉鎖壁２４側のティースセグメント４２Ａの端部には連結部４４を形成することが好ましい。このように構成することにより、連結部４４の数を減らした場合でも、最初に圧入溝２３に挿入されるティースセグメント４２Ａの端部には連結部４４が形成されているので強度を高めることができる。これにより、圧入溝２３に挿入する際にティースセグメント４２Ａがヨークセグメント２１に当接しても、ティースセグメント４２Ａの変形を抑制することができる。
【００６１】
また、上述の実施形態では、図１４及び図１５に示すように、閉鎖壁２４の上側の端面とティースセグメント４２のティース４１の上側の端面との間に段差が形成されていたが、図１７に示すように、閉鎖壁２４の上側の端面とティースセグメント４２Ｂのティース４１Ｂの上側の端面とを同一面になるように構成してもよい。このティースセグメント４２Ｂは、図１２に示すティース板４９から圧入突部を構成する部位を削除したティース部位４１Ｂａと連結部部位４４ａとを有する図１８に示すようなティース板５１をティースセグメント４２の閉鎖壁２４側にヨーク板２９と同じ枚数（２枚）を積層することにより作製できる。このように閉鎖壁２４の上側の端面とティースセグメント４２Ｂのティース４１Ｂの端面とが同一面上になるように構成することにより、ティースセグメント４１Ｂがより厚くなるので、モータ特性を向上させることができる。
【図面の簡単な説明】
【００６２】
【図１】本実施形態によるブラシレスモータの全体斜視図である。
【図２】図１におけるＡ−Ａ線に沿った断面図である。
【図３】ケースに装着されたステータの斜視図である。
【図４】ステータの斜視図である。
【図５】ステータコイルが装着されたステータの１セグメントの斜視図である。
【図６】ステータの１セグメントの斜視図である。
【図７】ステータの１セグメントの斜視図である。
【図８】ヨークセグメントの斜視図である。
【図９】ヨーク板の平面図である。
【図１０】ヨーク板の平面図である。
【図１１】ティースセグメントの斜視図である。
【図１２】ティース板の平面図である。
【図１３】ティース板の平面図である。
【図１４】図３におけるＢ−Ｂ線に沿った断面図である。
【図１５】図３におけるＣ−Ｃ線に沿った断面図である。
【図１６】変形例のティースセグメントをヨークセグメントに挿入する際の図である。
【図１７】別の変形例のティースセグメントを含む図１４相当図である。
【図１８】図１７のティースセグメントを構成するティース板の平面図である。
【符号の説明】
【００６３】
１    ブラシレスモータ
２    ケース
３    ロータ
４    シャフト
５    ステータコイル
７    ステータ
１１、１２   ケース部
１２ａ       閉鎖リブ
２０  ヨーク部
２１、２２   ヨークセグメント
２３  圧入溝
２３ａ  圧入溝部位
２４  閉鎖壁
２４ａ  閉鎖壁部位
２５  嵌合溝
２６  嵌合突部
２７  ガイド部
２８  凹部
２９、３０   ヨーク板
４０  ティース部
４１、４１Ｂ ティース
４２、４２Ａ、４２Ｂ、４３ ティースセグメント
４４  連結部
４５  圧入突部
４６  コイル支持部
４７  先端部
４８  ギャップ
４９、５０、５１    ティース板
６０  固定ネジ
【図１】
2008067529.tif 000003
【図２】
2008067529.tif 000004
【図３】
2008067529.tif 000005
【図４】
2008067529.tif 000006
【図５】
2008067529.tif 000007
【図６】
2008067529.tif 000008
【図７】
2008067529.tif 000009
【図８】
2008067529.tif 000010
【図９】
2008067529.tif 000011
【図１０】
2008067529.tif 000012
【図１１】
2008067529.tif 000013
【図１２】
2008067529.tif 000014
【図１３】
2008067529.tif 000015
【図１４】
2008067529.tif 000016
【図１５】
2008067529.tif 000017
【図１６】
2008067529.tif 000018
【図１７】
2008067529.tif 000019
【図１８】
2008067529.tif 000020